(57)【要約】【課題】ネットワーク上の複数のコンピュータシステムが管理する情報を共有化して表示する表示システムを提供する。【解決手段】中央局１と複数の端末局２ａ、２ｎにおいて、その大画面表示装置４、９、１５に自他の監視機器８、１３の監視あるいは制御画面を共有することで、中央局１と各々の端末局局２ａ、２ｎの監視機器８、１３の表示対象情報を共有することができる。このため、中央局１、端末局２ａ、２ｎの相互間で協調作業を円滑に行うことができ、従来に比べて表示対象情報を得る際の運転員の負荷が軽減されると共に、中央局１と端末局２ａ、２ｎの監視あるいは制御体制を一層充実させることが可能になる。【選択図】図１
2008145761.tif 000002
【特許請求の範囲】
【請求項１】
ネットワーク上の第１及び第２のコンピュータシステムが管理する情報を、上記第１及び第２のいずれのコンピュータシステムにおいても表示できる表示システムであって、
上記第１及び第２のコンピュータシステムのそれぞれは、
表示装置と、
監視あるいは制御対象からの情報を収集する監視装置と、
上記監視装置の収集した情報を格納するデータベースサーバと、
運転員により操作される表示操作端末と、
上記表示操作端末により上記データベースサーバから必要情報を上記表示装置に出力する表示制御装置と、を備え、
更に、上記第１のコンピュータシステムと上記第２のコンピュータシステムとを通信媒体により接続して、上記第１のコンピュータシステムのデータベースサーバに格納された情報を、上記第２のコンピュータシステムのデータベースサーバに配信して格納し、上記第２のコンピュータシステムのデータベースサーバに格納された情報を、上記第１のコンピュータシステムのデータベースサーバに配信して格納するように構成し、
上記第１のコンピュータシステムの上記表示操作端末の操作により、上記第２のコンピュータシステムが管理する情報を上記第１のコンピュータシステムの上記表示装置に表示すると共に、上記第２のコンピュータシステムの上記表示操作端末の操作により、上記第１のコンピュータシステムが管理する情報を上記第２のコンピュータシステムの上記表示装置に表示することを特徴とする表示システム。
【請求項２】
上記第１及び第２のコンピュータシステムと通信媒体により接続される中央局を備え、
上記中央局は、
表示装置と、
上記第１及び第２のコンピュータシステムのデータベースサーバから配信されるそれぞれの情報を格納するデータベースサーバと、
運転員により操作される表示操作端末と、
上記表示操作端末により上記データベースサーバから必要情報を上記表示装置に出力する表示制御装置と、を含み、
上記表示操作端末の操作により、上記第１のコンピュータシステムが管理する情報、あるいは上記第２のコンピュータシステムが管理する情報を上記表示装置に表示することを特徴とする請求項１記載の表示システム。
【請求項３】
上記第１及び第２のコンピュータシステム、並びに上記中央局と通信媒体により接続される監視局を備え、
上記監視局は、
表示装置と、
上記第１及び第２のコンピュータシステムのデータベースサーバから配信されるそれぞれの情報を格納するデータベースサーバと、
運転員により操作される表示操作端末と、
上記表示操作端末により上記データベースサーバから必要情報を上記表示装置に出力する表示制御装置と、を含み、
上記表示操作端末の操作により、上記第１のコンピュータシステムが管理する情報、あるいは上記第２のコンピュータシステムが管理する情報を上記表示装置に表示することを特徴とする請求項２記載の表示システム。
【請求項４】
ネットワーク上の第１及び第２のコンピュータシステムが管理する情報を、中央局において表示する表示システムであって、
上記第１及び第２のコンピュータシステムのそれぞれは、
監視あるいは制御対象からの情報を収集する監視装置と、
上記監視装置の収集した情報を格納するデータベースサーバと、を備え、
上記第１のコンピュータシステムと上記第２のコンピュータシステムとを通信媒体により接続して、上記第１のコンピュータシステムのデータベースサーバに格納された情報を、上記第２のコンピュータシステムのデータベースサーバに配信して格納し、
上記第２のコンピュータシステムのデータベースサーバに格納された情報を、上記第１のコンピュータシステムのデータベースサーバに配信して格納するように構成すると共に、
上記中央局は、
表示装置と、
上記第１及び第２のコンピュータシステムのデータベースサーバから配信されるそれぞれの情報を格納するデータベースサーバと、
運転員により操作される表示操作端末と、
上記表示操作端末により上記データベースサーバから必要情報を上記表示装置に出力する表示制御装置と、を含み、
上記表示操作端末の操作により、上記第１のコンピュータシステムが管理する情報、あるいは上記第２のコンピュータシステムが管理する情報を上記表示装置に表示することを特徴とする表示システム。
【請求項５】
上記通信媒体は、インターネットであることを特徴とする請求項１〜請求項４の何れかに記載の表示システム。
【請求項６】
上記表示装置は、複数の表示部から構成されており、上記第１のコンピュータシステムが管理する情報、あるいは上記第２のコンピュータシステムが管理する情報をそれぞれ異なる表示部に表示することを特徴とする請求項１〜請求項５の何れかに記載の表示システム。
【発明の詳細な説明】
【技術分野】
【０００１】
この発明は表示システムに係り、特に、ネットワーク上の複数のコンピュータシステムが管理する情報を共有化して表示する表示システムに関するものである。
【背景技術】
【０００２】
従来、複数のコンピュータシステムが通信媒体を介して結合される分散型コンピュータシステムにおいて、ネットワーク上の各コンピュータシステムが、自身の管理情報を収集する手段と、相互に他のコンピュータシステムに通信媒体を介して管理情報の転送を要求する手段を有し、かつ各コンピュータシステムが、他のコンピュータシステムからの要求を受信し、それに対する自己管理情報を要求元のコンピュータシステムに通信媒体を介して転送する手段を有することにより、各コンピュータシステムが収集した自己管理情報を通信媒体を介して必要に応じて相互に交換するネットワークモニタリングシステムが提案されている（例えば、特許文献１参照）。
【０００３】
【特許文献１】特開平３−６２２５７号公報（特許請求の範囲の欄、第１図）
【発明の開示】
【発明が解決しようとする課題】
【０００４】
上記特許文献に開示されたシステムは、他端末局の収集した情報の表示を行う場合には、表示させたい端末局のデータベースに対して情報を要求し、要求を受け付けた他端末局は必要な情報を収集して要求元の端末局に返送し、要求元の端末局が返送情報を元に自局の表示装置に要求した情報を表示できるものである。
【０００５】
特許文献１に開示されたシステムは上記のように動作するシステムであるため、通信媒体の切断等により、通信が切断された他端末局の情報を表示することが出来ないシステムとなっていた。このため、例えば、災害発生時のような場合、他端末局の収集した災害情報の表示が不可能となり、情報の共有化が出来ない課題を有していた。
【０００６】
また、同一画面に複数の局の情報を表示させようとする場合、画面上で表示させる局全てに対して情報を要求する必要があり、画面毎に表示制御装置の機能の変更が必要となるシステムとなっていた。
【０００７】
この発明は上記課題を解決するためになされたもので、ネットワーク上の複数のコンピュータシステムが管理する情報を、他システムの状態によらず、自システムの表示装置に情報を表示させることが出来る表示システムを提供するものである。
【課題を解決するための手段】
【０００８】
この発明による表示システムは、ネットワーク上の第１及び第２のコンピュータシステムが管理する情報を、上記第１及び第２のいずれのコンピュータシステムにおいても表示できる表示システムであって、上記第１及び第２のコンピュータシステムのそれぞれは、表示装置と、監視あるいは制御対象からの情報を収集する監視装置と、上記監視装置の収集した情報を格納するデータベースサーバと、運転員により操作される表示操作端末と、上記表示操作端末により上記データベースサーバから必要情報を上記表示装置に出力する表示制御装置と、を備え、更に、上記第１のコンピュータシステムと上記第２のコンピュータシステムとを通信媒体により接続して、上記第１のコンピュータシステムのデータベースサーバに格納された情報を、上記第２のコンピュータシステムのデータベースサーバに配信して格納し、上記第２のコンピュータシステムのデータベースサーバに格納された情報を、上記第１のコンピュータシステムのデータベースサーバに配信して格納するように構成し、上記第１のコンピュータシステムの上記表示操作端末の操作により、上記第２のコンピュータシステムが管理する情報を上記第１のコンピュータシステムの上記表示装置に表示すると共に、上記第２のコンピュータシステムの上記表示操作端末の操作により、上記第１のコンピュータシステムが管理する情報を上記第２のコンピュータシステムの上記表示装置に表示するものである。
【発明の効果】
【０００９】
この発明によれば、表示するための情報は全て自システムに接続されたデータベースサーバに存在するため、他システムの状態によらず、自システムの表示装置に情報を表示させることが可能になる。従って、例えば災害発生時のように、中央局との通信が困難な状態にあるような場合であっても、各端末局間で情報を共有化することが可能となる。
【発明を実施するための最良の形態】
【００１０】
以下に添付図面を参照して、この発明に係る表示システムについて好適な実施の形態を説明する。なお、これらの実施の形態によりこの発明が限定されるものではない。
【００１１】
実施の形態１．
図１は、この発明の実施の形態１を示す表示システムのブロック構成図で、この実施の形態においては、中央局１、第１の端末局２ａ、及び第２の端末局２ｎにより、複数のコンピュータシステムが通信媒体を介して結合された分散型コンピュータシステムを構成している。勿論，第３の端末局、第４の端末局など多数の端末局を含む構成であってもよい。
【００１２】
中央局１は、第１の端末局２ａに設けられた監視装置３により収集された各種の情報の格納、及び後述する大画面表示装置４への表示に必要な情報を格納するデータベースサーバ５と、運転員が大画面表示装置４への表示あるいは制御操作を行う表示操作端末６と、表示操作端末６からのリクエストにより、監視あるいは制御画面を作成する表示制御装置７と、表示制御装置７により作成された監視あるいは制御画面を表示する大画面表示装置４とを備えている。なお、この大画面表示装置４は、複数の表示部４ａ、４ｂ、・・・４ｎから構成されている。
【００１３】
第１の端末局２ａは、図示しない各種の機器類を代表的に示す監視機器８を制御するとともに、監視機器８で得られた情報を収集する監視装置３と、監視装置３で収集された各種の情報の格納、及び後述する大画面表示装置９への表示に必要な情報を格納するデータベースサーバ１０と、運転員が大画面表示装置９への表示あるいは制御操作を行う表示操作端末１１と、表示操作端末１１からのリクエストにより、監視あるいは制御画面を作成する表示制御装置１２と、作成された監視あるいは制御画面を表示する大画面表示装置９とを備えている。なお、この大画面表示装置９は、複数の表示部９ａ、９ｂ、・・・９ｎから構成されている。
【００１４】
また、第２の端末局２ｎは、図示しない各種の機器類を代表的に示す監視機器１３で得られた情報を収集する監視装置１４と、監視装置１４で収集された各種の情報の格納、及び後述する大画面表示装置１５への表示に必要な情報を格納するデータベースサーバ１６と、運転員が大画面表示装置１５への表示あるいは制御操作を行う表示操作端末１７と、表示操作端末１７からのリクエストにより、監視あるいは制御画面を作成する表示制御装置１８と、表示制御装置１８により作成された監視あるいは制御画面を表示する大画面表示装置１５とを備えている。なお、この大画面表示装置１５は、複数の表示部１５ａ、１５ｂ、・・・１５ｎから構成されている。そして、中央局１、第１の端末局２ａ、及び第２の端末局２ｎはＬＡＮ通信ネットワーク１９により接続されている。
【００１５】
実施の形態１に係る表示システムは、上記のように構成されており、次にその動作について説明する。
第１の端末局２ａは、監視機器８からの監視情報あるいは制御情報等の情報（以下、表示対象情報という。）を監視装置３により収集し、データベースサーバ１０の自局の管理する表示対象情報を格納するアドレスに格納する。このとき、既に当該アドレスに表示対象情報が格納されていれば、データベースサーバ１０の当該アドレスの表示対象情報は更新される。更に、データベースサーバ１０は、格納した表示対象情報、もしくは更新した表示対象情報を中央局１のデータベースサーバ５、及び第２の端末局２ｎのデータベースサーバ１６に対してＬＡＮ通信ネットワーク１９を介して配信する。
【００１６】
中央局１のデータベースサーバ５、及び第２の端末局２ｎのデータベースサーバ１６は、第１の端末局２ａのデータベースサーバ１０から配信された表示対象情報を、それぞれのデータベースサーバ５、１６が保有する第１の端末局２ａの表示対象情報を格納するアドレスに格納する。なお、このとき、既に当該アドレスに表示対象情報が格納されていれば、データベースサーバ５、１６の当該アドレスの表示対象情報は更新される。
【００１７】
また、第２の端末局２ｎは、監視機器１３からの表示対象情報を監視装置１４にて収集し、データベースサーバ１６の自局が管理する表示対象情報を格納するアドレスに格納する。このとき、既に当該アドレスに表示対象情報が格納されていれば、データベースサーバ１６の当該アドレスの表示対象情報は更新される。更に、データベースサーバ１６は、格納した表示対象情報、もしくは変更した表示対象情報を中央局１のデータベースサーバ５、及び第１の端末局２ａのデータベースサーバ１０に対してＬＡＮ通信ネットワーク１９を介して配信する。
【００１８】
中央局１のデータベースサーバ５、及び第１の端末局２ａのデータベースサーバ１０は、第２の端末局２ｎのデータベースサーバ１６から配信された表示対象情報を、それぞれのデータベースサーバ５、１０が保有する第２の端末局２ｎの表示対象情報を格納するアドレスに格納する。なお、このとき、既に当該アドレスに表示対象情報が格納されていれば、データベースサーバ５、１０の当該アドレスの監視あるいは制御情報は更新される。
【００１９】
次に、中央局１において、運転員が表示操作端末６を操作して第１の端末局２ａの表示対象情報アドレスにアクセスし、表示を選択すると、表示制御装置７は中央局１に設置されているデータベースサーバ５から第１の端末局２ａの表示対象情報を取得し、その監視あるいは制御画面を作成して、大画面表示装置４に監視あるいは制御情報の出力をリクエストする。大画面表示装置４は、表示制御装置７からのリクエストに従って表示部４ａ、４ｂ、・・・３ｎの何れかにリクエストされた表示対象情報を表示する。
【００２０】
第１の端末局２ａにおいて、運転員が表示操作端末１１を操作して第２の端末局２ｎの表示対象情報アドレスにアクセスし、表示を選択すると、表示制御装置１２は第１の端末局２ａに設置されているデータベースサーバ１０から第２の端末局２ｎの表示対象情報を取得し、その監視あるいは制御画面を作成して、大画面表示装置９に監視あるいは制御情報の出力をリクエストする。大画面表示装置９は、表示制御装置１２からのリクエストに従って表示部９ａ、９ｂ、・・・９ｎの何れかにリクエストされた表示対象情報を表示する。
【００２１】
第２の端末局２ｎにおいて、運転員が表示操作端末１７を操作して第１の端末局２ａの表示対象情報アドレスにアクセスし、表示を選択すると、表示制御装置１８は第２の端末局２ｎに設置されているデータベースサーバ１６から第１の端末局２ａの表示対象情報を取得し、その監視あるいは制御画面を作成して、大画面表示装置１５に表示対象情報の出力をリクエストする。大画面表示装置１５は、表示制御装置１８からのリクエストに従って表示部１５ａ、１５ｂ、・・・１５ｎの何れかにリクエストされた表示対象情報を表示する。
【００２２】
なお、中央局１、第１の端末局２ａ、第２の端末局２ｎに設置されたデータベースサーバ５、１０、１６は各々ヘルスチェックによる状態監視を行い、異常復旧時にはデータベースサーバ５、１０、１６間でデータベースの等価が行われる。
【００２３】
以上のように、実施の形態１に係る表示システムでは中央局１と複数の端末局２ａ、２ｎにおいて、その大画面表示装置４、９、１５に自他の監視機器８、１３の監視あるいは制御画面を共有することで、中央局１と各々の端末局２ａ、２ｎの監視機器８、１３の表示対象情報を共有する事ができる。このため、中央局１、端末局２ａ、２ｎの相互間で協調作業を円滑に行うことができ、従来に比べて表示対象情報を得る際の運転員の負荷が軽減されるとともに、中央局１と端末局２ａ、２ｎの監視あるいは制御体制を一層充実させることが可能になる。
【００２４】
また、端末局も含めた全システムの情報も一括して参照できることで、異なる端末局の内容も容易に取得・参照することができ、画面上の変更の際も対象局の修正のみで対応できる。
【００２５】
更に、他端末局の情報を表示する場合には自端末局のデータベースサーバから情報を引き出すことが可能となり、リアルタイム性能の向上が可能となる。
【００２６】
実施の形態２．
次に実施の形態２について説明する。図２は実施の形態２を示す表示システムのブロック構成図である。この実施の形態２に示す表示システムは、中央局１、第１の端末局２ａ、及び第２の端末局２ｎは互いにインターネット２０により接続されている。また、Ｗｅｂ端末２１がインターネット２０に接続されている。なお、その他の構成については実施の形態１と同様であり、同一符号を付すことにより、その説明を省略する。
【００２７】
この実施の形態２に係る表示システムよれば、実施の形態１による効果に加え、インターネット２０を介して遠隔地にある端末局の監視機器情報を手元の大画面表示装置４、９、１５に表示することができるとともに、Ｗｅｂ端末２１により遠隔地からの情報を大画面表示装置４、９、１５に提供することができる。
【００２８】
実施の形態３．
次に実施の形態３について説明する。図３は実施の形態３を示す表示システムのブロック構成図である。図において、監視局３０は、第１の端末局２ａの監視装置３、第２の端末局２ｎの監視装置１４で収集された各種の情報、及び中央局１で編集された情報を格納するデータベースサーバ３１と、運転員が後述する大画面表示装置３２への表示あるいは制御操作を行う表示操作端末３３と、表示操作端末３３からのリクエストにより、監視あるいは制御画面を作成する表示制御装置３４と、表示制御装置３４により作成された監視あるいは制御画面を表示する大画面表示装置３２とを備え、イントラネット３５により中央局１と第１の端末局２ａ、第２の端末局２ｎと接続されている。大画面表示装置３２は、複数の表示部３２ａ、３２ｂ、・・・３２ｎから構成されている。なお、その他の構成については実施の形態１と同様であり、同一符号を付すことにより、その説明を省略する。
【００２９】
実施の形態３に係る表示システムは、上記のように構成されており、次にその動作について説明する。
第１の端末局２ａは、監視機器１８からからの表示対象情報を監視装置３により収集し、データベースサーバ１０の自局の管理する表示対象情報を格納するアドレスに格納する。このとき、既に当該アドレスに表示対象情報が格納されていれば、データベースサーバ１０の当該アドレスの表示対象情報は更新される。更に、データベースサーバ１０は、格納した表示対象情報、もしくは更新した表示対象情報を中央局１のデータベースサーバ５、第２の端末局２ｎのデータベースサーバ１６、及び監視局３０のデータベースサーバ３１に対してイントラネット３５を介して配信する。
【００３０】
中央局１のデータベースサーバ５、第２の端末局２ｎのデータベースサーバ１６、及び監視局３０のデータベースサーバ３１は、第１の端末局２ａのデータベースサーバ１０から配信された表示対象情報を、それぞれのデータベースサーバ５、１６、３１の保有する第１の端末局２ａの表示対象情報を格納するアドレスに格納する。なお、このとき、既に当該アドレスに表示対象情報が格納されていれば、データベースサーバ５、１６、３１の当該アドレスの表示対象情報は更新される。
【００３１】
また、第２の端末局２ｎは、監視機器１３からの表示対象情報を監視装置１４にて収集し、データベースサーバ１６の自局が管理する表示対象情報を格納するアドレスに格納する。このとき、既に当該アドレスに表示対象情報が格納されていれば、データベースサーバ１６の当該アドレスの表示対象情報は更新される。更に、データベースサーバ１６は、格納した表示対象情報、もしくは変更した表示対象情報を中央局１のデータベースサーバ５、第１の端末局２ａのデータベースサーバ１０、及び監視局３０のデータベースサーバ３１に対してイントラネット３５を介して配信する。
【００３２】
中央局１のデータベースサーバ５、第１の端末局２ａのデータベースサーバ１０、及び監視局３０のデータベースサーバ３１は、第２の端末局２ｎのデータベースサーバ１６から配信された表示対象情報を、それぞれのデータベースサーバ５、１０、３１の保有する第２の端末局２ｎの表示対象情報を格納するアドレスに格納する。なお、このとき、既に当該アドレスに表示対象情報が格納されていれば、データベースサーバ５、１０、３１の当該アドレスの表示対象情報は更新される。
【００３３】
次に、監視局３０において、運転員が表示操作端末３３を操作して第１の端末局２ａの表示対象情報アドレスにアクセスし、表示を選択すると、表示制御装置３４は監視局３０に設置されているデータベースサーバ３１から第１の端末局２ａの表示対象情報を取得し、その監視あるいは制御画面を作成して、大画面表示装置３２に表示対象情報の出力をリクエストする。大画面表示装置３２は、表示制御装置３４からのリクエストに従って表示部３２ａ、３２ｂ、・・・３２ｎの何れかにリクエストされた表示対象情報を表示する。
【００３４】
なお、中央局１、第１の端末局２ａ、第２の端末局２ｎ、及び監視局３０に設置されたデータベースサーバ５、１０、１６、３１は各々ヘルスチェックによる状態監視を行い、異常復旧時にはデータベースサーバ５、１０、１６、３１間でデータベースの等価が行われる。
【００３５】
以上のように、実施の形態３に係る表示システムによれば、イントラネット３５内にある大画面表示装置に他の大画面表示装置が表示している情報を表示することができる。さらに、監視装置を含まない表示監視のみを行う監視局３０を追加することで、監視対象の工場内や事業所内だけでなく、他の監視のみの施設も含んだ複数の大画面表示装置において機器情報を手元の大画面表示装置に表示することができる。
【００３６】
また、端末局も含めた全システムの情報も一括して参照できることで、異なる端末局の内容も容易に取得・参照することができ、画面上の変更の際も対象局の修正のみで対応できる。
【００３７】
更に、他端末局の情報を表示する場合には自端末局のデータベースサーバから情報を引き出すことが可能となり、リアルタイム性能の向上が可能となる。
【００３８】
なお、上記においては、中央局１と第１の端末局２ａ、第２の端末局２ｎとをイントラネット３５により接続した実施の形態について説明したが、中央局１と第１の端末局２ａ、第２の端末局２ｎとをインターネットにより接続してもよい。
【００３９】
実施の形態４．
次に実施の形態４について説明する。図４は実施の形態４を示すブロック構成図である。図において、第１の監視子局４０ａは、図示しない各種の機器類を代表的に示す監視機器４１を制御するとともに、監視機器４１で得られた情報を収集する監視装置４２と、監視装置４２で収集された各種の情報を格納するデータベースサーバ４３を備えている。
【００４０】
また、第２の監視子局４０ｎは、図示しない各種の機器類を代表的に示す監視機器４４を制御するとともに、監視機器４４で得られた情報を収集する監視装置４５と、監視装置４５で収集された各種の情報を格納するデータベースサーバ４６を備えている。なお、中央局１の構成については実施の形態１と同様であり、同一符号を付すことにより、その説明を省略する。
【００４１】
実施の形態４に係る表示システムは、上記のように構成されており、次にその動作について説明する。
第１の監視子局４０ａは、監視機器４１からの表示対象情報を監視装置４２にて収集し、データベースサーバ４３に格納する。このとき、既に当該アドレスに表示対象情報が格納されていれば、データベースサーバ４３の表示対象情報は更新される。更に、データベースサーバ４３は、格納した表示対象情報、もしくは変更した表示対象情報を中央局１のデータベースサーバ５に対してＬＡＮ通信ネットワーク１９を介して配信する。
【００４２】
中央局１のデータベースサーバ５は、第１の監視子局４０ａから配信された表示対象情報を、データベースサーバ５の保有する第１の監視子局４０ａの表示対象情報を格納するアドレスに格納する。なお、このとき、既に当該アドレスに表示対象情報が格納されていれば、データベースサーバ５の当該アドレスの表示対象情報は更新される。
【００４３】
また、第２の監視子局４０ｎは、監視機器４５からの表示対象情報を監視装置４５にて収集し、データベースサーバ４６に格納する。このとき、既に当該アドレスに表示対象情報が格納されていれば、データベースサーバ４６の表示対象情報は更新される。更に、データベースサーバ４６は、格納した表示対象情報、もしくは変更した表示対象情報を中央局１のデータベースサーバ５に対してＬＡＮ通信ネットワーク１９を介して配信する。
【００４４】
中央局１のデータベースサーバ５は、第２の監視子局４０ｎから配信された表示対象情報を、データベースサーバ５の保有する第２の監視子局４０ｎの表示対象情報を格納するアドレスに格納する。なお、このとき、既に当該アドレスに表示対象情報が格納されていれば、データベースサーバ５の当該アドレスの表示対象情報は更新される。
【００４５】
次に、中央局１において、運転員が表示操作端末６を操作して第１の監視子局４０ａの表示対象情報アドレスにアクセスし、表示を選択すると、表示制御装置７は中央局１に設置されているデータベースサーバ５から第１の監視子局４０ａの表示対象情報を取得し、その監視あるいは制御画面を作成して、大画面表示装置４に表示対象情報の出力をリクエストする。大画面表示装置４は、表示制御装置７からのリクエストに従って表示部４ａ、４ｂ、・・・４ｎの何れかにリクエストされた表示対象情報を表示する。
【００４６】
なお、中央局１及び第１の監視子局４０ａ、第２の監視子局４０ｎに設置されたデータベースサーバ５、４３、４６は、各々ヘルスチェックによる状態監視を行い、異常復旧時にはデータベースサーバ５、４３、４６間でデータベースの等価が行われる。
【００４７】
以上のように、実施の形態４に係る表示システムによれば、大画面表示装置を持たない第１の監視子局４０ａ、第２の監視子局４０ｎを使用するため、無人の施設等で監視用の画面表示が必要ない場合、実施の形態１よりも、安価に表示システムを提供することができる。
【００４８】
なお、上記においては、中央局１、第１の監視子局４０ａ、及び第２の監視子局４０ｎをＬＡＮ通信ネットワーク１９で接続した場合について説明したが、中央局１、第１の監視子局４０ａ、及び第２の監視子局４０ｎをインターネットにより接続してもよい。
【００４９】
実施の形態５．
次に実施の形態５について説明する。図５は実施の形態５を示す表示システムのブロック構成図である。この実施の形態５に示す表示システムは、中央局が存在せず全ての端末局で相互に監視機器情報の表示を行うものである。
【００５０】
端末局２ａは、図示しない各種の機器類を代表的に示す監視機器８を制御するとともに、監視機器８で得られた情報を収集する監視装置３と、監視装置３で収集された各種の情報、及び後述する大画面表示装置９への表示に必要な情報を格納するデータベースサーバ１０と、運転員が大画面表示装置９への表示あるいは制御操作を行う表示操作端末１１と、表示操作端末１１からのリクエストにより監視あるいは制御画面を作成する表示制御装置１２と、表示制御装置１２により作成された監視あるいは制御画面を表示する大画面表示装置９とを備えている。なお、この大画面表示装置９は、複数の表示部９ａ、９ｂ、・・・９ｎから構成されている。
【００５１】
また、端末局２ｎは、図示しない各種の機器類を代表的に示す監視機器１３を制御するとともに監視機器１３で得られた情報を収集する監視装置１４と、監視装置１４で収集された各種の情報、及び後述する大画面表示装置１５への表示に必要な情報を格納するデータベースサーバ１６と、運転員が大画面表示装置１５への表示操作あるいは制御操作を行う表示操作端末１７と、表示操作端末１７からのリクエストにより、監視あるいは制御画面を作成する表示制御装置１８と、表示制御装置１８により作成された監視あるいは制御画面を表示する大画面表示装置１５とを備えている。なお、この大画面表示装置１５は、複数の表示部１５ａ、１５ｂ、・・・１５ｎから構成されている。そして、端末局２ａ、２ｎはＬＡＮ通信ネットワーク１９により接続されている。
【００５２】
実施の形態５に係る表示システムは、上記のように構成されており、次にその動作について説明する。
端末局２ａは、監視機器８からの表示対象情報を監視装置３にて収集し、データベースサーバ１０の自局が管理する表示対象情報を格納するアドレスに格納する。このとき、既に当該アドレスに表示対象情報が格納されていれば、データベースサーバ１０の当該アドレスの表示対象情報は更新される。更に、データベースサーバ１０は、格納した表示対象情報、もしくは変更した表示対象情報を端末局２ｎのデータベースサーバ１６に対してＬＡＮ通信ネットワーク１９を介して配信する。
【００５３】
端末局２ｎのデータベースサーバ１６は、端末局２ａのデータベースサーバ１０から配信された表示対象情報を、端末局２ｎのデータベースサーバ１６の保有する端末局２ａの表示対象情報を格納するアドレスに格納する。なお、このとき、既に当該アドレスに表示対象情報が格納されていれば、データベースサーバ１６の当該アドレスの表示対象情報は更新される。
【００５４】
また、端末局２ｎは、監視機器１３からの表示対象情報を監視装置１４にて収集し、データベースサーバ１６の自局が管理する表示対象情報を格納するアドレスに格納する。このとき、既に当該アドレスに表示対象情報が格納されていれば、データベースサーバ１６の当該アドレスの表示対象情報は更新される。更に、データベースサーバ１６は、格納した表示対象情報、もしくは変更した表示対象情報を端末局２ａのデータベースサーバ１０に対してＬＡＮ通信ネットワーク１９を介して配信する。なお、このとき、既に当該アドレスに表示対象情報が格納されていれば、データベースサーバ１０の当該アドレスの表示対象情報は更新される。
【００５５】
次に、端末局２ａにおいて、運転員が表示操作端末１１を操作して端末局２ｎの表示対象情報アドレスにアクセスし、表示を選択すると、表示制御装置１２は端末局２ａに設置されているデータベースサーバ１０から端末局２ｎの表示対象情報を取得し、監視あるいは制御画面を作成して、大画面表示装置９に表示対象情報の出力をリクエストする。大画面表示装置９は、表示制御装置１２からのリクエストに従って表示部９ａ、９ｂ、・・・９ｎの何れかにリクエストされた表示対象情報を表示する。
【００５６】
端末局２ｎにおいて、運転員が表示操作端末１１を操作して端末局２ａの表示対象情報アドレスにアクセスし、表示を選択すると、表示制御装置１８は端末局２ｎに設置されているデータベースサーバ１６から端末局２ａの表示対象情報を取得し、その監視あるいは制御画面を作成して、大画面表示装置１５に表示対象情報の出力をリクエストする。大画面表示装置１５は、表示制御装置１８からのリクエストに従って表示部５ａ、５ｂ、・・・５ｎの何れかにリクエストされた表示対象情報を表示する。
【００５７】
なお、端末局２ａ、２ｎに設置されたデータベースサーバ１０、１６は各々ヘルスチェックによる状態監視を行い、異常復旧時にはデータベースサーバ１０、１６間でデータベースの等価が行われる。
【００５８】
以上のように、実施の形態５に係る表示システムによれば、複数の端末局２ａ、２ｎにおいて、その大画面表示装置９、１５に自他の監視機器８、１３の監視あるいは制御画面を共有することで、各々の端末局２ａ、２ｎの監視機器８、１３の表示対象情報を共有する事ができる。このため、端末局２ａ、２ｎの相互間で協調作業を円滑に行うことができ、従来に比べて表示対象情報を得る際の運転員の負荷が軽減されるとともに、端末局２ａ、２ｎの監視あるいは制御体制を一層充実させることが可能になる。
【００５９】
また、複数の端末局２ａ、２ｎからなる全システムの情報を一括して参照できることで、異なる端末局の内容も容易に取得・参照することができ、画面上の変更の際も対象局の修正のみで対応できる。
【００６０】
更に、他端末局の情報を表示する場合には自端末局のデータベースサーバから情報を引き出すことが可能となり、リアルタイム性能の向上が可能となる。
【００６１】
なお、上記においては、端末局２ａ、２ｎをＬＡＮ通信ネットワーク１９により接続した実施の形態について説明したが、端末局２ａ、２ｎをインターネットにより接続してもよい。
【産業上の利用可能性】
【００６２】
この発明に係る表示システムは、ネットワーク上の複数のコンピュータシステムが管理する情報を共有化する表示システムとして産業上の利用可能性がある。
【図面の簡単な説明】
【００６３】
【図１】この発明の実施の形態１を示すブロック構成図である。
【図２】この発明の実施の形態２を示すブロック構成図である。
【図３】この発明の実施の形態３を示すブロック構成図である。
【図４】この発明の実施の形態４を示すブロック構成図である。
【図５】この発明の実施の形態５を示すブロック構成図である。
【符号の説明】
【００６４】
１  中央局
２ａ  第１の端末局
２ｎ  第２の端末局
３、１４、４２、４５  監視装置
４、９、１５、３２  大画面表示装置
４ａ、４ｂ、・・・４ｎ  表示部
５、１０、１６、３１、４３、４６  データベースサーバ
６、１１、１７、３３  表示操作端末
７、１２、１８、３４  表示制御装置
８、１３、４１、４４  監視機器
９ａ、９ｂ、・・・９ｎ  表示部
１５ａ、１５ｂ、・・・１５ｎ  表示部
１９  ＬＡＮ通信ネットワーク
２０  インターネット
２１  Ｗｅｂ端末
３０  監視局
３０ａ、３０ｂ、・・・３０ｎ  表示部
３５  イントラネット
４０ａ  第１の監視子局
４１ｎ  第２の監視子局
【図１】
2008145761.tif 000003
【図２】
2008145761.tif 000004
【図３】
2008145761.tif 000005
【図４】
2008145761.tif 000006
【図５】
2008145761.tif 000007